(57)【要約】      （修正有）【課題】釜内における流体の流量制御及び内釜の漏洩と浸出問題を解決できる、歯車と操作レバーによりバルブを制御する新型内釜加熱装置を提供する。【解決手段】内釜１９、バルブ１、加熱板８、釜カバー７、中間仕切り板６、歯車モジュール等を備え、内釜の底部外側にバルブ取付溝が設けられ、バルブ取付溝の底部にバルブモジュールが設置され、内釜の底部に加熱板が設けられ、加熱板が釜カバーに固定され、釜カバーに操作レバー可動穴１６と釜カバー貫通穴が設けられ、釜カバーの底部に中間仕切り板が取り付けられ、中間仕切り板の底部に歯車モジュールが設けられ、中間仕切り板のエッジにパイプ５が貫通され、パイプが釜カバー通水穴とバルブ貫通穴及び内釜排水口に貫通されて、流体チャンネルが形成される。釜カバーモジュールにおける操作レバー１２を往復移動させることにより、内釜におけるバルブの開閉を制御し、内釜排水口を開閉できる。【選択図】図１
0003220354.tif 000002
【実用新案登録請求の範囲】
【請求項１】
内釜（19）を備え、前記内釜（19）の内側の底端に内釜ベース（9）が設けられ、前記内釜ベース（9）の内側にバルブ（1）が設けられ、前記内釜ベース（9）の底端に加熱板（8）が設けられ、前記加熱板（8）の片側に操作レバー可動取付箇所（17）が設けられ、前記内釜（19）の外側に釜カバー（7）が設けられ、前記釜カバー（7）の底端に中間仕切り板（6）が設けられ、前記中間仕切り板（6）の底端に歯車モジュールが設けられ、前記中間仕切り板（6）の内側にパイプ（5）が貫通され、前記パイプ（5）が釜カバー（7）に固設され、前記パイプ（5）の末端にバルブ（1）が接続されることを特徴とする歯車と操作レバーによるバルブを制御する新型内釜加熱装置。
【請求項２】
前記歯車モジュールはモータ（18）と歯車（14）を備え、前記中間仕切り板（6）の底端にモータ（18）が設けられ、前記モータ（18）と歯車（14）とが回転軸を介して固設され、前記歯車（14）の片側にラックがかみ合い接続されることを特徴とする請求項１に記載の歯車と操作レバーによるバルブを制御する新型内釜加熱装置。
【請求項３】
前記中間仕切り板（6）の底端にラック押圧プレート（2）と位置決め溝（15）が固設され、前記ラック押圧プレート（2）が位置決め溝（15）の片側に位置されることを特徴とする請求項２に記載の歯車と操作レバーによるバルブを制御する新型内釜加熱装置。
【請求項４】
前記位置決め溝（15）の内側に第一インチングスイッチ（4）が設けられ、前記ラック（13）の片側にインチングスイッチの接触板（3）が固設され、前記第一インチングスイッチ（4）がインチングスイッチの接触板（3）の片側に位置され、前記インチングスイッチの接触板（3）のもう片側に第二インチングスイッチ（11）が設置されることを特徴とする請求項３に記載の歯車と操作レバーによるバルブを制御する新型内釜加熱装置。
【請求項５】
前記ラック（13）の底端に操作レバー（12）が接続されることを特徴とする請求項４に記載の歯車と操作レバーによるバルブを制御する新型内釜加熱装置。
【請求項６】
前記操作レバー（12）と中間仕切り板（6）とが操作レバースライド溝（20）を介してスライドして接続され、前記釜カバー（7）の底端に操作レバー可動穴（16）が設けられ、前記操作レバー（12）が操作レバースライド溝（20）と操作レバー可動穴（16）の内側に貫通されることを特徴とする請求項５に記載の歯車と操作レバーによるバルブを制御する新型内釜加熱装置。
【請求項７】
前記操作レバー（12）と釜カバー（7）とが操作レバー可動穴（16）を介してスライドして接続され、前記操作レバー（12）の末端にバルブ（1）のプッシュプル部品（105）が可動接続されることを特徴とする請求項６に記載の歯車と操作レバーによるバルブを制御する新型内釜加熱装置。
【請求項８】
前記バルブ（1）はプッシュプル部品（105）とバルブ固定部品（103）を備え、前記バルブ（1）がバルブ押圧プレート（109）を介して内釜（19）の底部に固定されることを特徴とする請求項１−７の何れか１項記載の歯車と操作レバーによるバルブを制御する新型内釜加熱装置。
【請求項９】
前記プッシュプル部品（105）の頂端に磁石（101）が取り付けられ、前記プッシュプル部品（105）の底端に補強押圧ブロック（107）が設けられ、前記磁石（101）と補強押圧ブロック（107）の中間位置に押し棒（102）が固設され、前記バルブ固定部品（103）の内側にバルブ通水穴（108）が貫通され、前記バルブ固定部品（103）の内側とバルブ通水穴（108）と交わった所に、操作レバー可動穴（106）が設置され、前記操作レバー可動穴（106）の内側が押し棒（102）とスライドして接続され、前記バルブ固定部品（103）にはプッシュプル部品（105）から離れた片側に密封押圧ブロック（104）が設置されることを特徴とする請求項８に記載の歯車と操作レバーによるバルブを制御する新型内釜加熱装置。
【考案の詳細な説明】
【技術分野】
【０００１】
本考案は内釜加熱装置の技術分野に関し、特に歯車と操作レバーによるバルブを制御する新型内釜加熱装置に関する。
【背景技術】
【０００２】
内釜加熱装置は内釜本体の内側における液体を加熱するための装置であり、使用しやすく、安全且つ信頼できる。今市販されている関連装置は加熱後、ある部品が変形することで操作レバーを移動させて妨害になってしまい、バルブ開閉の不調を引き起こす。また、バルブ装置の各部品が加熱モジュールに分散されて固定されているため、加熱後のバルブの各部品が膨張の影響を受けて開閉が不調になりやすい。
【０００３】
現在内釜加熱装置を使用する時、内釜加熱装置によりバルブの開閉を制御する装置を加熱装置から離しにくく、制御装置が高温と直接に接触することを防止できず、内釜加熱装置の使用効果に影響を与える。また、内釜加熱装置を使用する時、内釜加熱装置のバブルが外力を受けた時だけ、開く状態になることを確保できず、内釜加熱装置の内側における液体を排出する効果にも影響するという課題がある。
【考案の概要】
【考案が解決しようとする課題】
【０００４】
本考案は歯車と操作レバーによるバルブを制御する新型内釜加熱装置を提供することを目的とし、現在内釜加熱装置を使用する時、内釜加熱装置によりバルブの開閉を制御する装置を加熱装置から離しにくく、また内釜加熱装置のバブルが外力を受けた時だけ、開く状態になることを確保できない課題を解決できるようになる。
【課題を解決するための手段】
【０００５】
以上の目的を実現するために、本考案の使用する技術的な解決方案は以下の通りである。
歯車と操作レバーによるバルブを制御する新型内釜加熱装置であって、内釜を備え、その特徴は以下の通りである。前記内釜の内側の底端に内釜ベースが設けられ、前記内釜ベースの内側にバルブが設けられ、前記内釜ベースの底端に加熱板が設けられ、前記加熱板の片側に操作レバー可動取付箇所が設けられ、前記内釜の外側に釜カバーが設けられ、前記釜カバーの底端に中間仕切り板が設けられ、前記中間仕切り板の底端に歯車モジュールが設けられ、前記中間仕切り板の内側にパイプが貫通され、前記パイプが釜カバーに固設され、前記パイプの末端にバルブが接続される。
【０００６】
好ましくは、前記歯車モジュールはモータと歯車を備え、前記中間仕切り板の底端にモータが設けられ、前記モータと歯車とが回転軸を介して固設され、前記歯車の片側にラックがかみ合い接続される。
【０００７】
好ましくは、前記中間仕切り板の底端にラック押圧プレートと位置決め溝が固設され、前記ラック押圧プレートが位置決め溝の片側に位置される。
【０００８】
好ましくは、前記位置決め溝の内側に第一インチングスイッチが設けられ、前記ラックの片側にインチングスイッチの接触板が固設され、前記第一インチングスイッチがインチングスイッチの接触板の片側に位置され、前記インチングスイッチの接触板のもう片側に第二インチングスイッチが設置される。
【０００９】
好ましくは、前記ラックの底端に操作レバーが接続される。
【００１０】
好ましくは、前記操作レバーと中間仕切り板とが操作レバースライド溝を介してスライドして接続され、前記釜カバーの底端に操作レバー可動穴が設けられ、前記操作レバーが操作レバースライド溝と操作レバー可動穴の内側に貫通される。
【００１１】
好ましくは、前記操作レバーと釜カバーとがスライド溝を介してスライドして接続され、前記操作レバーの末端にバルブのプッシュプル部品が可動接続される。
【００１２】
好ましくは、前記バルブはプッシュプル部品とバルブ固定部品を備える。
【００１３】
好ましくは、前記プッシュプル部品の頂端に磁石が取り付けられ、前記プッシュプル部品の底端に補強押圧ブロックが設けられ、前記磁石と補強押圧ブロックの中間に押し棒が固設され、前記バルブ固定部品の内側に通水穴が貫通され、前記バルブ固定部品の内側とバルブ通水穴と交わった所に、操作レバー可動穴が設置され、前記操作レバー可動穴の内側が押し棒とスライドして接続され、前記バルブ固定部品にはプッシュプル部品から離れた片側に密封押圧ブロックが設置される。
【考案の効果】
【００１４】
本考案は、従来の技術と比べて、有益な効果は以下の通りである。
（1）本考案では歯車、操作レバーと第一インチングスイッチが設置されており、モータにより歯車を回転させ、歯車によりラックを移動させ、歯車の片側にインチングスイッチの接触板が設置され、ラックが第二インチングスイッチに近い片側へ移動する時、インチングスイッチの接触板が第二インチングスイッチと接触する、ラックが第二インチングスイッチから離れた片側へ移動する時、インチングスイッチの接触板が第一インチングスイッチと接触すると共に、ラックにより操作レバーを移動させ、操作レバーによりバルブのプッシュプル部品を移動させ、バルブを開けさせたり、閉めさせることを制御する。インチングスイッチの接触板が第一インチングスイッチと接触する時、バルブが開くことになり、インチングスイッチの接触板が第二インチングスイッチと接触する時、バルブが閉まることになり、インチングスイッチの接触板が第一インチングスイッチ及び第二インチングスイッチ両方とも接触しない時、バルブがスライド運行状態になり、使用者がバルブの開閉を制御しやすい。ラックの行程を制御するために、中間仕切り板に二つのインチングスイッチが設置されており、ラックにより操作レバーを動かして、操作レバーによりバルブを水平方向へ移動させることにより、バルブの開閉を効率的に制御する目的を実現する。歯車モジュール、中間仕切り板、釜カバー、加熱板等を固定されて操作レバー付きの加熱機構に形成され、バルブ付きの内釜を加熱機構の釜カバーに置いて、操作レバーを介してバルブを開けさせたり、閉めさせることにより、内釜における流体の流量を制御し、加熱機構における加熱板を通電させ、熱エネルギーを発生させた後内釜へ伝導し、内釜の加熱を実現する。
【００１５】
（2）本考案ではパイプの末端にバルブが接続されており、モータにより歯車を移動させ、本バルブ装置では、押し棒が補強押圧ブロックを介してプッシュプル部品に固定され、プッシュプル部品に押し棒及び磁石が取り付けられ、押し棒が外力で駆動されてバルブの開閉を実現し、磁石によりプッシュプル部品に磁性を発生させて且つプッシュプル部品を強磁性体の密封押圧ブロックに吸着させて、バルブが外力で駆動されない場合、自由に開閉できない目的を実現する。バルブが外力で駆動されて開いた後、バルブ固定部品の貫通穴と内釜排水口と直通チャンネルが形成され、釜内における流体が直通チャンネルを経て重力作用で内釜から流れ出る。バルブが閉まった状態で、押し棒が外力で駆動された後、バルブ固定部品の貫通穴を完全に塞ぎ、釜内における流体が外への流動を切断する。加熱板が釜カバーの底部に固定されて内釜を加熱し、本装置で加熱する際、バルブ部品が内釜の底部に独立で取り付けられているため、バルブの開閉が内釜の熱膨脹と冷収縮の影響を受けず、バルブをスムーズに移動させ、内釜流体をスムーズに排出させ、内釜における流体が加熱前後の漏洩現象を避けられることを実現する。
【図面の簡単な説明】
【００１６】
【図１】本考案の分解図である。
【図２】本考案におけるラックの第一移動状態を示す図である。
【図３】本考案におけるラックの第二移動状態を示す図である。
【図４】本考案におけるバルブの分解図である。
【図５】本考案におけるバルブが開く時を示す図である。
【図６】本考案におけるバルブが閉まる時を示す図である。
【図７】本考案における操作レバーが開く時を示す図である。
【図８】本考案における操作レバーが閉まる時を示す図である。
【図９】本考案のバルブ取付溝の取り付け図である。
【図１０】本考案における釜カバーの斜視図の底部の部分拡大図である。
【考案を実施するための形態】
【００１７】
以下、本考案の実施例における図面と合わせて、本考案の実施例における技術手段について具体的に説明する。もちろん、以下説明する実施例は本考案の一部の実施例に過ぎず、全部の実施例というわけではない。本考案の実施例に鑑みて、本技術分野の当業者が本考案の原理から逸脱しない前提において得たすべて他の実施例は、本考案の保護範囲に属する。
【００１８】
図面1−9をご参照ください。本考案の使用する技術的な解決方案は以下の通りである。
歯車と操作レバーによるバルブを制御する新型内釜加熱装置であって、それは内釜19を備え、その特徴は以下の通りである。内釜19の内側の底端に内釜ベース9が設けられ、内釜ベース9の内側にバルブ1が設けられ、内釜ベース9の底端に加熱板8が設けられ、加熱板8の片側に操作レバー可動取付箇所17が設けられ、内釜19の外側に釜カバー7が設けられ、釜カバー7の底端に中間仕切り板6が設けられ、中間仕切り板6の底端に歯車モジュールが設けられ、中間仕切り板6の内側にパイプ5が貫通され、パイプ5が釜カバー7に固設され、パイプ5の末端にバルブ1が接続される。
【００１９】
歯車モジュールはモータ18と歯車14を備え、中間仕切り板6の底端にモータ18が設けられ、モータ18と歯車14とが回転軸を介して固設され、歯車14の片側にラック13がかみ合い接続される。
【００２０】
中間仕切り板6の底端にラック押圧プレート2と位置決め溝15が固設され、ラック押圧プレート2が位置決め溝15の片側に位置される。
【００２１】
位置決め溝15の内側に第一インチングスイッチ4が設けられ、ラック13の片側にインチングスイッチの接触板3が固設され、第一インチングスイッチ4がインチングスイッチの接触板3の片側に位置され、インチングスイッチの接触板3のもう片側に第二インチングスイッチ11が設置される。
【００２２】
ラック13の底端に操作レバー12が接続される。
【００２３】
操作レバー12と中間仕切り板6とが操作レバースライド溝20を介してスライドして接続され、釜カバー7の底端に操作レバー可動穴16が設けられ、操作レバー12が操作レバースライド溝20と操作レバー可動穴16の内側に貫通される。
【００２４】
操作レバー12と釜カバー7とが操作レバー可動穴16を介してスライドして接続され、操作レバー12の末端にバルブ1のプッシュプル部品105が可動接続される。
【００２５】
バルブ1がバルブ押圧プレート109を介して内釜19の底部に固定される。
【００２６】
バルブ1はプッシュプル部品105とバルブ固定部品103を備える。
【００２７】
プッシュプル部品105の頂端に磁石101が取り付けられ、プッシュプル部品105の底端に補強押圧ブロック107が設けられ、磁石101と補強押圧ブロック107の中間に押し棒102が固設され、バルブ固定部品103の内側にバルブ通水穴108が貫通され、バルブ固定部品103の内側とバルブ通水穴108と交わった所に、操作レバー可動穴106が設置され、操作レバー可動穴106の内側が押し棒102とスライドして接続され、バルブ固定部品103にはプッシュプル部品105から離れた片側に密封押圧ブロック104が設置される。
【実施例】
【００２８】
本考案の作動原理及び使用工程は以下の通りである。ユーザーが内釜19の中に食べ物を蒸す場合、内釜19における流体を排出必要がある時、まずモータ18を起動させて、モータ18により歯車14を回転させ、歯車14によりラック13を移動させ、歯車14の片側にインチングスイッチの接触板3が設置され、ラック13が第二インチングスイッチ11に近い片側へ移動する時、インチングスイッチの接触板3が第二インチングスイッチ11と接触する。図3に示す通り、ラック13が第二インチングスイッチ11から離れた片側へ移動する時、インチングスイッチの接触板3が第一インチングスイッチ4と接触する。図2に示す通り、ラック13により操作レバー12を移動させ、操作レバー12によりバルブ1のプッシュプル部品105を移動させ、バルブを開けさせたり、閉めさせることを制御する。インチングスイッチの接触板3が第一インチングスイッチ4と接触する時、バルブが開くことになり、インチングスイッチの接触板3が第二インチングスイッチ11と接触する時、バルブが閉まることになり、インチングスイッチの接触板3が第一インチングスイッチ4及び第二インチングスイッチ11両方とも接触しない時、バルブがスライド運行状態になり、使用者がバルブの開閉を制御しやすい。歯車モジュール、中間仕切り板、釜カバー、加熱板等を固定されて操作レバー付きの加熱機構に形成され、バルブ付きの内釜を加熱機構の釜カバーに置いて、操作レバーを介してバルブを開けさせたり、閉めさせることにより、内釜における流体の流量を制御し、加熱機構における加熱板を通電させて、熱エネルギーを発生させた後内釜へ伝導し、内釜の加熱を実現する。内釜の底部に独立しているバルブ装置が設置されており、本バルブ装置では、押し棒102が補強押圧ブロック107を介してプッシュプル部品105に固定され、プッシュプル部品105に押し棒102及び磁石101が取り付けられ、押し棒102が外力で駆動されてバルブの開閉を実現し、磁石101によりプッシュプル部品に磁性を発生させてそれにプッシュプル部品を強磁性体の密封押圧ブロック009に吸着させて、バルブが外力で駆動されない場合、自由に開閉できない目的を実現する。バルブが外力で駆動されて開いた後、バルブ固定部品の貫通穴と内釜排水口が直通チャンネルに形成され、釜内における流体が直通チャンネルを経て重力作用で内釜から流れ出る。バルブが閉まった状態で、押し棒が外力で駆動された後、バルブ固定部品の貫通穴を完全に塞ぎ、釜内における流体が外への流動を切断する。
【００２９】
説明すべきなのは、本明細書において、例えば第一及び第二のような関係用語は、一つの実体または操作を別の実体または操作と区分するために用いられるものであり、これらの実体又は操作の間に、いかなる実際の関係や順序が存在することを要求又は暗示していない。それに、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに含み、またはこの種類の過程、方法、物品または装置の固有の要素をさらに含んでいる。もっと多くに制限されない場合は、「一つの・・・限定要素を含む」といった文言により、要素を含む過程、方法、物品、又は装置に他の同じ要素が存在することを排除しない。
【００３０】
本明細書に具体的な個別事例を応用して本実用新案の原理及び実施方式を説明したが、本技術分野の当業者にとって、本発明の原理及び精神から逸脱しない前提において、さらにいくつかの改善、修正または変化を実施できる。本実用新案の保護範囲は添付の実用新案の請求範囲及びそれと同じものによって限定される。
【符号の説明】
【００３１】
1  バルブ
101  磁石
102  押し棒
103  バルブ固定部品
104  密封押圧ブロック
105  プッシュプル部品
106  操作レバー可動穴
107  補強押圧ブロック
108  バルブ通水穴
109  バルブ押圧プレート
2  ラック押圧プレート
3  インチングスイッチの接触板
4  第一インチングスイッチ
5  パイプ
6  中間仕切り板
7  釜カバー
8  加熱板
9  内釜ベース
11  第二インチングスイッチ
12  操作レバー
13  ラック
14  歯車
15  位置決め溝
16  操作レバー可動穴
17  操作レバー可動取付箇所
18  モータ
19  内釜
20  操作レバースライド溝
【図１】
0003220354.tif 000003
【図２】
0003220354.tif 000004
【図３】
0003220354.tif 000005
【図４】
0003220354.tif 000006
【図５】
0003220354.tif 000007
【図６】
0003220354.tif 000008
【図７】
0003220354.tif 000009
【図８】
0003220354.tif 000010
【図９】
0003220354.tif 000011
【図１０】
0003220354.tif 000012